(57)【特許請求の範囲】
【請求項１】
非防水領域に面する第１の面と防水領域に面する第２の面とを有し、前記第１の面及び前記第２の面を貫通する挿入孔が形成されるフレームと、
前記挿入孔と重なり合わない位置で前記フレームの前記第１の面に貼り付けられる取り付け部品と、
前記取り付け部品に接続されるケーブルと、
前記ケーブルが挿通する挿通孔を有し、前記ケーブルの挿通方向の長さが前記挿入孔の深さ以下であり、前記挿入孔に挿入されて前記ケーブルを前記取り付け部品から防水領域に位置する基板に案内する防水性の案内部材と
を有することを特徴とする取り付け部品ユニット。
【請求項２】
前記フレームは、
前記案内部材が挿入される挿入孔の挿入口から該案内部材の挿入方向の長さよりも深い位置における内壁に凸部が形成されることを特徴とする請求項１に記載の取り付け部品ユニット。
【請求項３】
前記案内部材は、
リング状の防水部材が環装され、
前記フレームは、
前記挿入孔の挿入縁が角丸形状であることを特徴とする請求項１または２に記載の取り付け部品ユニット。
【請求項４】
前記フレームは、
前記挿入孔と前記第１の面に貼り付けられた取り付け部品との間に凸部が形成されることを特徴とする請求項１、２または３に記載の取り付け部品ユニット。
【請求項５】
取り付け部品ユニットを有する携帯端末装置であって、
前記取り付け部品ユニットは、
非防水領域に面する第１の面と防水領域に面する第２の面とを有し、前記第１の面及び前記第２の面を貫通する挿入孔が形成されるフレームと、
前記挿入孔と重なり合わない位置で前記フレームの前記第１の面に貼り付けられる取り付け部品と、
前記取り付け部品に接続されるケーブルと、
前記ケーブルが挿通する挿通孔を有し、前記ケーブルの挿通方向の長さが前記挿入孔の深さ以下であり、前記挿入孔に挿入されて前記ケーブルを前記取り付け部品から防水領域に位置する基板に案内する防水性の案内部材と
を有することを特徴とする携帯端末装置。
【発明の詳細な説明】
【技術分野】
【０００１】
本発明は、取り付け部品ユニット及び携帯端末装置に関する。
【背景技術】
【０００２】
携帯電話機などの携帯端末装置には、ユーザの指紋等を読み取る指紋センサが取り付けられるとともに、防水対策が施されているものがある。ここで、図７〜図１０を用いて、従来の指紋センサ付き携帯電話機について説明する。
【０００３】
図７は、従来の指紋センサ付き携帯電話機の外観例を示す斜視図である。なお、図７では、操作部を備えた固定側筐体と表示部を備えた可動側筐体とがスライド自在に連結されたスライド型の携帯電話機を例に挙げて説明する。図７に示すように、従来のスライド型の携帯電話機２００は、可動側筐体２１０と固定側筐体２２０とを備える。図７は、可動側筐体２１０がスライドされて、可動側筐体２１０と固定側筐体２２０とが最大の重なり範囲で重なった閉状態を示している。なお、以下では、図７に示した固定側筐体２２０の操作キーが備えられた面を「前面」と表記する場合があり、固定側筐体２２０の操作キーが備えられた面の裏面を「背面」と表記する場合がある。
【０００４】
固定側筐体２２０は、操作キー側に位置する前面外装ケース２２１と、背面側に位置する背面外装ケース２２２とを有する。また、図７に示すように、固定側筐体２２０は、指紋センサモジュール２３０が取り付けられる。
【０００５】
図８は、従来の固定側筐体２２０の構成例を示す分解斜視図である。図８に示すように、背面外装ケース２２２と、前面外装ケース２２１とによって、指紋センサモジュール２３０と、センサフレーム２４０と、基板２２４とが挟まれる。背面外装ケース２２２は、開口部２２２ａが形成される。指紋センサモジュール２３０は、センサフレーム２４０に取り付けられる。センサフレーム２４０に指紋センサモジュール２３０が取り付けられた指紋センサユニット２５０は、背面外装ケース２２２及び基板２２４に取り付けられる。これにより、背面外装ケース２２２の開口部２２２ａから指紋センサの指紋読取面が露出する。
【０００６】
図９は、従来の指紋センサユニット２５０の拡大斜視図である。図９に示すように、指紋センサモジュール２３０は、指紋センサ２３１と、グロメット２３２と、フレキシブルケーブル２３４とを有する。指紋センサ２３１にはフレキシブルケーブル２３４の一端が接続され、指紋センサ２３１から延出するフレキシブルケーブル２３４は、グロメット２３２を貫通する。指紋センサ２３１は、ユーザの指紋等を読み取る装置である。グロメット２３２は、例えば弾性素材で形成される防水用の部材であり、防水部材であるＯリング２３３が環装される。センサフレーム２４０は、挿入孔２４１が形成され、かかる挿入孔２４１に上記のグロメット２３２が挿入される。これにより、グロメット２３２を環装するＯリング２３３は、センサフレーム２４０の挿入孔２４１を水密に塞ぐ。
【０００７】
図１０は、図７のＩ−Ｉ線における断面を模式的に示す図である。図１０に示すように、フレキシブルケーブル２３４と接続された状態の指紋センサ２３１及びグロメット２３２は、センサフレーム２４０に取り付けられる。具体的には、まず、グロメット２３２がセンサフレーム２４０の挿入孔２４１に挿入された後に、指紋センサ２３１が両面テープ等でセンサフレーム２４０に貼り付けられる。これにより、グロメット２３２より下部の領域は防水領域となる。そして、指紋センサ２３１と接続されるフレキシブルケーブル２３４は、グロメット２３２を貫通して、防水領域に位置する基板２２４と接続される。
【先行技術文献】
【特許文献】
【０００８】
【特許文献１】国際公開第２００４／０９３００８号
【発明の概要】
【発明が解決しようとする課題】
【０００９】
しかしながら、上記の従来技術には、指紋センサの取り付け部分の防水性が損なわれるおそれがあるという問題がある。かかる問題について図１１を用いて説明する。図１１は、図７のＩ−Ｉ線における断面を模式的に示す図である。上述したように、指紋センサモジュール２３０がセンサフレーム２４０に取り付けられる場合には、まず、グロメット２３２がセンサフレーム２４０の挿入孔２４１に挿入される。その後に、指紋センサ２３１がセンサフレーム２４０に貼り付けられる。このとき、図１１に示す例のように、グロメット２３２が挿入孔２４１に対して傾く場合がある。
【００１０】
グロメット２３２が傾く理由を説明する。理由の１つとして、指紋センサ２３１がセンサフレーム２４０に貼り付けられる際に、フレキシブルケーブル２３４に応力が働くからである。フレキシブルケーブル２３４に応力が働くと、グロメット２３２は、フレキシブルケーブル２３４から応力を受けて傾く場合がある。また、理由の１つとして、グロメット２３２は、図１１に示すように、一方のみに凸部２３２ａを有するからである。かかる凸部２３２ａは、センサフレーム２４０の切欠部２４０ａと係止することで、グロメット２３２を位置決めする。すなわち、グロメット２３２は、一方向のみに位置決め用の凸部２３２ａを有するので、挿入孔２４１に対して水平に挿入されない場合がある。なお、グロメット２３２の両方向に位置決め用の凸部を形成することも考えられるが、実装スペースが増大し携帯電話機の小型化が困難になるという問題を招く。
【００１１】
このようにグロメット２３２が傾いてしまうと、Ｏリング２３３によって水密に塞がれていた挿入孔２４１に隙間が生じる可能性があり、その結果、基板２２４等が位置する防水領域の防水性を保つことが困難になるという問題を招く。なお、かかる問題は、指紋センサに限られず、携帯端末装置に取り付けられるカメラのレンズやフラッシュ、バーコード読み取り装置等の取り付け部品にも同様に生じる。
【００１２】
開示の技術は、上記に鑑みてなされたものであって、取り付け部品と接続される基板等が位置する防水領域の防水性を保つことができる取り付け部品ユニット及び携帯端末装置を提供することを目的とする。
【課題を解決するための手段】
【００１３】
本願の開示する取り付け部品ユニットは、一つの態様において、非防水領域に面する第１の面と防水領域に面する第２の面とを有し、前記第１の面及び前記第２の面を貫通する挿入孔が形成されるフレームと、前記挿入孔と重なり合わない位置で前記フレームの第１の面に貼り付けられる取り付け部品と、前記取り付け部品に接続されるケーブルと、前記ケーブルが挿通する挿通孔を有し、前記ケーブルの挿通方向の長さが前記挿入孔の深さ以下であり、前記挿入孔に挿入されて前記ケーブルを前記取り付け部品から防水領域に位置する基板に案内する防水性の案内部材とを有する。
【発明の効果】
【００１４】
本願の開示する取り付け部品ユニットの一つの態様によれば、指紋センサと接続される基板等が位置する防水領域の防水性を保つことができるという効果を奏する。
【図面の簡単な説明】
【００１５】
【図１】図１は、実施例に係る携帯電話機の前面側外観例を示す斜視図である。
【図２】図２は、実施例に係る携帯電話機の背面側外観例を示す斜視図である。
【図３】図３は、実施例における固定側筐体の構成例を示す分解斜視図である。
【図４】図４は、実施例における指紋センサユニットの拡大斜視図である。
【図５】図５は、図４のＩＩ−ＩＩ線における断面を模式的に示す図である。
【図６】図６は、図２のＩＩＩ−ＩＩＩ線における断面を模式的に示す図である。
【図７】図７は、従来の指紋センサ付き携帯電話機の外観例を示す斜視図である。
【図８】図８は、従来の固定側筐体の構成例を示す分解斜視図である。
【図９】図９は、従来の指紋センサユニットの拡大斜視図である。
【図１０】図１０は、図７のＩ−Ｉ線における断面を模式的に示す図である。
【図１１】図１１は、図７のＩ−Ｉ線における断面を模式的に示す図である。
【発明を実施するための形態】
【００１６】
以下に、本願の開示する取り付け部品ユニット及び携帯端末装置の実施例を図面に基づいて詳細に説明する。なお、この実施例により本願の開示する取り付け部品ユニット及び携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの他の携帯端末装置にも適用することができる。また、以下の実施例では、本願の開示する携帯端末装置を、固定側筐体と可動側筐体とが相互にスライド自在に連結されたスライド型の携帯電話機に適用する例を示す。また、以下の実施例では、携帯端末装置に取り付けられる取り付け部品の一例として、指紋センサを用いて説明する。しかし、本願の開示する取り付け部品ユニット及び携帯端末装置は、指紋センサに限られず、携帯端末装置に取り付けられるカメラのレンズやフラッシュ、バーコード読み取り装置等の取り付け部品にも適用することができる。
【実施例】
【００１７】
まず、図１及び図２を用いて、本実施例に係る携帯電話機の外観について説明する。図１は、本実施例に係る携帯電話機１００の前面側外観例を示す斜視図である。図１に示すように、本実施例に係る携帯電話機１００は、可動側筐体１１０と、固定側筐体１２０とを備える。
【００１８】
なお、以下では、可動側筐体１１０の液晶表示部が備えられた面を「前面」と表記する場合があり、可動側筐体１１０の液晶表示部が備えられた面の裏面を「背面」と表記する場合がある。また、固定側筐体１２０の操作キーが備えられた面を「前面」と表記する場合があり、固定側筐体１２０の操作キーが備えられた面の裏面を「背面」と表記する場合がある。
【００１９】
可動側筐体１１０及び固定側筐体１２０は、図示しない連結部によって可動自在に連結される。かかる連結部は、スライド機構であり、可動側筐体１１０及び固定側筐体１２０をスライド自在に連結する。なお、図１は、可動側筐体１１０がスライドされて、可動側筐体１１０と固定側筐体１２０とが最小の重なり範囲で重なった開状態を示している。このようなスライド型の携帯電話機１００は、一般に、非使用時には可動側筐体１１０と固定側筐体１２０とが最大の重なり範囲で重ねられた閉状態となる。また、携帯電話機１００は、固定側筐体１２０に設けられたキー操作時には、可動側筐体１１０が固定側筐体１２０に対して長手方向にスライドさせられ開状態となる。
【００２０】
可動側筐体１１０は、図１に示すように、前面外装ケース１１１と、背面外装ケース１１２とを有する。前面外装ケース１１１は、閉状態時における携帯電話機１００の外面となる。また、背面外装ケース１１２は、閉状態時における携帯電話機１００の内側に位置する。
【００２１】
前面外装ケース１１１は、通話音声を受話する受話部１１３、各種情報を表示する液晶表示部１１４、前面外装ケース１１１を貫通する開口部１１５等が設けられる。開口部１１５は、可動側筐体１１０内部の前面側に備えられた図示しないマイクへ通じる貫通孔である。すなわち、ユーザが発する発話音声は、開口部１１５から可動側筐体１１０の内部へ進入し、マイクによって収音される。
【００２２】
固定側筐体１２０は、図１に示すように、前面外装ケース１２１と、背面外装ケース１２２とを有する。前面外装ケース１２１は、閉状態時における携帯電話機１００の内側に位置する。また、背面外装ケース１２２は、閉状態時における携帯電話機１００の外面となる。前面外装ケース１２１は、多機能キー、決定キー、ダイヤルキー、テンキー等の操作キーを有するキーパッド１２３が設けられる。
【００２３】
図２は、本実施例に係る携帯電話機１００の背面側外観例を示す斜視図である。図２に示すように、固定側筐体１２０には、指紋センサモジュール１３０が設けられる。具体的には、固定側筐体１２０の背面外装ケース１２２に指紋センサの指紋読取面が露出している。
【００２４】
次に、図３を用いて、固定側筐体１２０の構成例について説明する。図３は、本実施例における固定側筐体１２０の構成例を示す分解斜視図である。図３に示すように、背面外装ケース１２２と、前面外装ケース１２１とによって、指紋センサモジュール１３０と、センサフレーム１４０と、基板１２４とが挟まれる。背面外装ケース１２２は、開口部１２２ａが形成される。指紋センサモジュール１３０は、センサフレーム１４０に取り付けられる。センサフレーム１４０に指紋センサモジュール１３０が取り付けられた指紋センサユニット１５０は、背面外装ケース１２２及び基板１２４に取り付けられる。これにより、背面外装ケース１２２の開口部１２２ａから指紋センサの指紋読取面が露出する。
【００２５】
図４は、本実施例における指紋センサユニット１５０の拡大斜視図である。図４に示すように、指紋センサモジュール１３０は、指紋センサ１３１と、グロメット１３２と、フレキシブルケーブル１３４とを有する。指紋センサ１３１にはフレキシブルケーブル１３４の一端が接続される。そして、指紋センサ１３１から延出するフレキシブルケーブル１３４は、グロメット１３２を貫通する。指紋センサ１３１は、ユーザの指紋等を読み取る装置である。グロメット１３２は、例えば弾性素材で形成される防水用の部材であり、防水部材であるＯリング１３３が環装される。
【００２６】
センサフレーム１４０は、挿入孔１４１が形成され、かかる挿入孔１４１にグロメット１３２が挿入される。これにより、グロメット１３２を環装するＯリング１３３は、センサフレーム１４０の挿入孔１４１を水密に塞ぐ。また、センサフレーム１４０は、指紋センサ１３１が貼り付けられる貼付面１４２を有する。
【００２７】
また、センサフレーム１４０は、貼付面１４２に貼り付けられた指紋センサ１３１と、挿入孔１４１との間に凸部１４３及び１４４を有する。さらに、センサフレーム１４０は、外周に凸部１４５〜１４７を有する。これらの凸部１４３〜１４７は、指紋センサ１３１が貼付面１４２に貼り付けられる位置を決定する。このように、貼付面１４２に貼り付けられる指紋センサ１３１は、凸部１４３〜１４７によって囲まれる貼付面１４２に位置することになるので、挿入孔１４１と重なり合わない。すなわち、指紋センサモジュール１３０がセンサフレーム１４０に取り付けられた状態において、指紋センサ１３１とグロメット１３２とが重なり合わない。
【００２８】
図４に示した例において、指紋センサモジュール１３０は、指紋センサ１３１とグロメット１３２とがフレキシブルケーブル１３４によって接続された状態で、センサフレーム１４０に取り付けられる。上記のように、指紋センサモジュール１３０がセンサフレーム１４０に取り付けられた状態において、指紋センサ１３１とグロメット１３２とは重なり合わない。したがって、指紋センサモジュール１３０は、指紋センサ１３１が貼付面１４２に貼り付けられた後に、グロメット１３２が挿入孔１４１に挿入されてもよい。また、指紋センサモジュール１３０は、グロメット１３２が挿入孔１４１に挿入された後に、指紋センサ１３１が貼付面１４２に貼り付けられてもよい。
【００２９】
次に、図５を用いて、グロメット１３２が挿入孔１４１に挿入される状態について説明する。図５は、図４のＩＩ−ＩＩ線における断面を模式的に示す図である。なお、図５は、挿入孔１４１にグロメット１３２が挿入されている途中の状態を示す。図５に示すように、挿入孔１４１の挿入縁１４１ａは、角丸形状である。具体的には、挿入孔１４１は、グロメット１３２が挿入される挿入口から所定の深さまで、孔の直径が徐々に小さい形状である。
【００３０】
例えば、挿入縁１４１ａが角形であると、Ｏリング１３３の表面に加工されているパッキンやシール等が剥がれたり、Ｏリング１３３がグロメット１３２から外れてしまうおそれがある。しかし、本実施例におけるセンサフレーム１４０では、挿入孔１４１の挿入縁１４１ａが角丸形状であるので、Ｏリング１３３を挿入孔１４１に容易に挿入することができる。すなわち、本実施例におけるセンサフレーム１４０は、Ｏリング１３３の表面に加工されているパッキンやシール等が剥がれることを防止でき、Ｏリング１３３がグロメット１３２から外れてしまうことを防止することができる。
【００３１】
次に、図６を用いて、指紋センサユニット１５０の内部構造について説明する。図６は、図２のＩＩＩ−ＩＩＩ線における断面を模式的に示す図である。図６に示すように、フレキシブルケーブル１３４と接続された状態の指紋センサ１３１及びグロメット１３２は、センサフレーム１４０に取り付けられる。
【００３２】
具体的には、センサフレーム１４０は、非防水領域に面する第１面１４０ａと、防水領域に面する第２面１４０ｂとを有し、第１面１４０ａ及び第２面１４０ｂを貫通する挿入孔１４１が形成される。すなわち、基板１２４等が配置される領域は、防水領域である。そして、指紋センサ１３１は、挿入孔１４１と重なり合わない位置でセンサフレーム１４０の第１面１４０ａである貼付面１４２に貼り付けられる。
【００３３】
また、グロメット１３２は、フレキシブルケーブル１３４が水密に挿通する挿通孔を有する。そして、グロメット１３２は、センサフレーム１４０の挿入孔１４１に水密に挿入される。ここで、フレキシブルケーブル１３４の挿通方向におけるグロメット１３２の長さは、挿入孔１４１の深さ以下である。図６に示した例を用いて説明すると、グロメット１３２の縦方向の長さｈ１は、挿入孔１４１の深さｈ２以下である。すなわち、挿入孔１４１には、グロメット１３２全体が挿入される。
【００３４】
これにより、本実施例では、挿入孔１４１に指紋センサモジュール１３０のグロメット１３２全体が挿入されるので、グロメット１３２が挿入孔１４１に対して傾くことを防止することができる。具体的には、図６に示した例のように、グロメット１３２の側壁面は、センサフレーム１４０の挿入孔１４１における内壁面に囲まれる。したがって、本実施例におけるグロメット１３２は、傾く可能性が低い。
【００３５】
また、図６に示すように、センサフレーム１４０は、グロメット１３２が挿入される挿入孔１４１の挿入口から、グロメット１３２の挿通方向の長さよりも深い位置における内壁に凸部１４１ｂが形成される。かかる凸部１４１ｂは、グロメット１３２を位置決めすることができる。言い換えれば、凸部１４１ｂは、グロメット１３２が挿入孔１４１に挿入される場合に、グロメット１３２の下部と係止することで、グロメット１３２が挿入孔１４１を貫通してしまうことを防止することができる。
【００３６】
また、図６に示すように、フレキシブルケーブル１３４は、一端が指紋センサ１３１に接続される。そして、指紋センサ１３１から延出するフレキシブルケーブル１３４は、グロメット１３２を挿通して、防水領域に位置する基板１２４のＦＰＣ（Flexible  Printed  Circuit）コネクタ１２４ａに接続される。言い換えれば、グロメット１３２は、センサフレーム１４０に挿入されることで、フレキシブルケーブル１３４を指紋センサ１３１から防水領域に位置する基板１２４に案内する案内部材である。
【００３７】
上述してきたように、本実施例に係る携帯電話機１００は、センサフレーム１４０の挿入孔１４１に、指紋センサモジュール１３０のグロメット１３２全体が挿入される。これにより、本実施例に係る携帯電話機１００は、グロメット１３２の位置を安定させることができ、グロメット１３２が傾くことを防止することができる。その結果、本実施例に係る携帯電話機１００は、挿入孔１４１とグロメット１３２を環装するＯリング１３３との間に隙間が生じることを防止できるので、指紋センサの取り付け部分の防水性を保つことができる。
【００３８】
また、図１１に示した例において、グロメット２３２が傾いた場合には、指紋センサ２３１は、グロメット２３２の凸部２３２ａによって押し上げられるおそれがある。しかし、本実施例に係る携帯電話機１００は、指紋センサモジュール１３０がセンサフレーム１４０に取り付けられた状態において、指紋センサ１３１とグロメット１３２とが重なり合わない。したがって、本実施例に係る携帯電話機１００は、仮にグロメット１３２が強い衝撃等を受けて傾いたとしても、グロメット１３２が指紋センサ１３１を押し上げてしまうことを防止することができる。
【００３９】
また、図１１に示した例において、グロメット２３２と指紋センサ２３１とは、重なり合う部分がある。このため、センサフレーム２４０に指紋センサモジュール２３０が取り付けられた後に、製造者等は、グロメット２３２が傾いているか否かを確認することが困難であった。さらに、製造者等は、グロメット２３２が傾いていることを確認することができた場合であっても、グロメット２３２と指紋センサ２３１とが重なりあっているので、グロメット２３２を挿入孔２４１に再度押し込むことが困難であった。しかし、本実施例に係る携帯電話機１００は、指紋センサモジュール１３０がセンサフレーム１４０に取り付けられた状態において、指紋センサ１３１とグロメット１３２とが重なり合わない。したがって、本実施例に係る携帯電話機１００の場合には、センサフレーム１４０に指紋センサモジュール１３０が取り付けられた後に、製造者等は、グロメット１３２が傾いているか否かを確認することができる。さらに、製造者等は、グロメット１３２が傾いていることを確認した場合に、グロメット１３２を挿入孔１４１に押し込むことができる。
【００４０】
また、本実施例におけるセンサフレーム１４０は、グロメット１３２を位置決めする凸部１４１ｂを有する。これにより、本実施例に係る携帯電話機１００は、グロメット１３２が挿入孔１４１を貫通してしまうことを防止することができる。
【００４１】
また、本実施例におけるセンサフレーム１４０は、グロメット１３２が挿入される挿入口の挿入縁１４１ａが角丸形状である挿入孔１４１が形成される。これにより、本実施例に係る携帯電話機１００は、グロメット１３２を環装するＯリング１３３の表面に加工されているパッキンやシール等が剥がれることを防止でき、Ｏリング１３３がグロメット１３２から外れてしまうことを防止することができる。
【００４２】
また、本実施例におけるセンサフレーム１４０は、貼付面１４２に貼り付けられた指紋センサ１３１と、挿入孔１４１との間に凸部１４３〜１４７を有する。すなわち、本実施例に係る携帯電話機１００は、貼付面１４２に貼り付けられる指紋センサ１３１と挿入孔１４１とが重なり合わないようにすることができる。これにより、本実施例におけるセンサフレーム１４０は、仮にグロメット１３２が傾いたとしても、グロメット１３２が指紋センサ１３１を押し上げてしまうことを防止することができる。また、本実施例に係る携帯電話機１００は、指紋センサ１３１とグロメット１３２とが重なり合わないので、薄型にすることが容易である。
【００４３】
なお、上記実施例では、本願の開示する携帯端末装置をスライド型の携帯電話機に適用する例を示したが、本願の開示する携帯端末装置は、スライド型以外の携帯電話機に適用することもできる。例えば、本願の開示する携帯端末装置は、筐体が分割されていないストレート型や、折り畳み方式や平面回転方式の連結部により一方の筐体に対して他方の筐体を可動自在とした携帯端末装置にも同様に適用することができる。
【００４４】
また、上記実施例では、本願の開示する携帯端末装置を携帯電話機に適用する例を説明したが、本願の開示する携帯端末装置は、これに限定されるものではない。例えば、本願の開示する携帯端末装置は、小型情報処理端末、小型音楽再生装置、携帯テレビ、携帯型ゲーム機等の他の各種携帯端末装置にも適用することができる。
【符号の説明】
【００４５】
１００  携帯電話機
１１０  可動側筐体
１１１  前面外装ケース
１１２  背面外装ケース
１１３  受話部
１１４  液晶表示部
１１５  開口部
１２０  固定側筐体
１２１  前面外装ケース
１２２  背面外装ケース
１２２ａ  開口部
１２３  キーパッド
１２４  基板
１２４ａ  ＦＰＣコネクタ
１３０  指紋センサモジュール
１３１  指紋センサ
１３２  グロメット
１３３  Ｏリング
１３４  フレキシブルケーブル
１４０  センサフレーム
１４１  挿入孔
１４１ｂ  凸部
１４２  貼付面
１４３〜１４７  凸部
１５０  指紋センサユニット
２００  携帯電話機
２１０  可動側筐体
２２０  固定側筐体
２２１  前面外装ケース
２２２  背面外装ケース
２２２ａ  開口部
２２４  基板
２３０  指紋センサモジュール
２３１  指紋センサ
２３２  グロメット
２３２ａ  凸部
２３３  Ｏリング
２３４  フレキシブルケーブル
２４０  センサフレーム
２４０ａ  切欠部
２４１  挿入孔
２５０  指紋センサユニット
【図１】
0005381855.tif 000002
【図２】
0005381855.tif 000003
【図３】
0005381855.tif 000004
【図４】
0005381855.tif 000005
【図５】
0005381855.tif 000006
【図６】
0005381855.tif 000007
【図７】
0005381855.tif 000008
【図８】
0005381855.tif 000009
【図９】
0005381855.tif 000010
【図１０】
0005381855.tif 000011
【図１１】
0005381855.tif 000012